(57)【要約】【課題】コンパクトに折り畳むことができ、発生する煙を二次燃焼によって低減することのできる焚き火台を提供する。【解決手段】焚き火台１は折り畳み式であって、メイン部材１０と、メイン部材１０における左右一対の短手側壁部３１，３２間に差し渡される前後一対の長手側壁部材５１，５２と、左右一対の底部２１，２２にそれぞれ配置される左右一対の燃焼材載置用板状部材４１，４２と、長手側壁部材５１，５２の内側に配置される二次燃焼用板状部材６１と、前後一対の長手側壁部材５１，５２間に差し渡される複数の五徳部材７１と、五徳部材７１の上部に載置される左右一対の調理台８１，８２と、を具備し、格納状態で、長手側壁部材５１，５２と、燃焼材載置用板状部材４１，４２と、二次燃焼用板状部材６１と、五徳部材７１と、調理台８１，８２が、メイン部材１０における底部２１，２２と短手側壁部３１，３２との間に形成された空隙に格納される。【選択図】図１
0003234669.tif 000002
【実用新案登録請求の範囲】
【請求項１】
使用状態において長手方向を左右方向とし、かつ短手方向を前後方向とし、
脚部が回動自在に取り付けられ、上部が開口した箱形状を有する底部と、
前記底部に回動自在に取り付けられた左右一対の短手側壁部と、
を備えたメイン部材を少なくとも具備し、使用状態と格納状態とに状態変化自在な焚き火台であって、
前記底部は左右一対であり、前記左右一対の底部は互いにヒンジ機構で接続されて開閉自在とされているとともに、左側の底部に左側の短手側壁部が取り付けられ、右側の底部に右側の短手側壁部が取り付けられており、
さらに、
前記左右一対の短手側壁部間に差し渡される前後一対の長手側壁部材と、
前記左右一対の底部にそれぞれ配置される燃焼材載置用板状部材と、
前記長手側壁部材の内側面に配置される二次燃焼用板状部材と、
前記前後一対の長手側壁部材間に差し渡される五徳部材と、
前記五徳部材の上部に載置される調理台と、
を具備し、
前記長手側壁部材は、一対の基板部で構成され、前記基板部同士はヒンジ機構を介して接続されてなり、
前記使用状態において、前記左右一対の底部は互いに開いた状態であり、前記左右一対の短手側壁部が前記底部に対して起立してなり、前記前後一対の長手側壁部材は前記左右一対の短手側壁部間に差し渡されてなり、前記一対の基板部は左右方向に並んで配置されてなり、前記燃焼材載置用板状部材は前記底部との間に燃焼促進用空気流通路を形成してなり、前記二次燃焼用板状部材は前記基板部に各々対置するように配置されて前記基板部との間に燃焼促進用空気流通路を形成してなり、前記五徳部材は前記前後一対の長手側壁部材に差し渡されてなり、前記左右一対の調理台は前記五徳部材に載置されてなり、
これに対して前記格納状態においては、前記短手側壁部が前記底部側に倒されてなり、右側の短手側壁部と右側の底部との間に形成された空隙に、折り畳まれた一方の長手側壁部材、一方の燃焼材載置用板状部材、一方の二次燃焼用板状部材、及び一方の調理台が少なくとも格納され、並びに、左側の短手側壁部と左側の底部との間に形成された空隙に、折り畳まれた他方の長手側壁部材、他方の燃焼材載置用板状部材、他方の二次燃焼用板状部材、及び他方の調理台が少なくとも格納され、さらに前記左右一対の底部が閉じられて互いに重ね合わされてなる
ことを特徴とする焚き火台。
【考案の詳細な説明】
【技術分野】
【０００１】
本考案は、折り畳み式の焚き火台に関する。
【背景技術】
【０００２】
従来、例えば特許文献１に開示されているような、折り畳んでコンパクトに収納できる焚き火台（焚き火装置）が知られている。
【先行技術文献】
【特許文献】
【０００３】
【特許文献１】実用新案登録第３１８６４８３号公報
【考案の概要】
【考案が解決しようとする課題】
【０００４】
しかしながら、上述の焚き火台においても、さらに持ち運びが容易となるものが強く求められている。
【０００５】
そこで本考案は、さらにコンパクトに折り畳むことができ、加えて高機能でもある焚き火台を提供することを目的とする。
【課題を解決するための手段】
【０００６】
本考案は、使用状態において長手方向を左右方向とし、かつ短手方向を前後方向とし、脚部が回動自在に取り付けられ、上部が開口した箱形状を有する底部と、前記底部に回動自在に取り付けられた左右一対の短手側壁部と、を備えたメイン部材を少なくとも具備し、使用状態と格納状態とに状態変化自在な焚き火台であって、前記底部は左右一対であり、前記左右一対の底部は互いにヒンジ機構で接続されて開閉自在とされているとともに、左側の底部に左側の短手側壁部が取り付けられ、右側の底部に右側の短手側壁部が取り付けられており、さらに、前記左右一対の短手側壁部間に差し渡される前後一対の長手側壁部材と、前記左右一対の底部にそれぞれ配置される燃焼材載置用板状部材と、前記長手側壁部材の内側面に配置される二次燃焼用板状部材と、前記前後一対の長手側壁部材間に差し渡される五徳部材と、前記五徳部材の上部に載置される調理台と、を具備し、前記長手側壁部材は、一対の基板部で構成され、前記基板部同士はヒンジ機構を介して接続されてなり、前記使用状態において、前記左右一対の底部は互いに開いた状態であり、前記左右一対の短手側壁部が前記底部に対して起立してなり、前記前後一対の長手側壁部材は前記左右一対の短手側壁部間に差し渡されてなり、前記一対の基板部は左右方向に並んで配置されてなり、前記燃焼材載置用板状部材は前記底部との間に燃焼促進用空気流通路を形成してなり、前記二次燃焼用板状部材は前記基板部に各々対置するように配置されて前記基板部との間に燃焼促進用空気流通路を形成してなり、前記五徳部材は前記前後一対の長手側壁部材に差し渡されてなり、前記左右一対の調理台は前記五徳部材に載置されてなり、これに対して前記格納状態においては、前記短手側壁部が前記底部側に倒されてなり、右側の短手側壁部と右側の底部との間に形成された空隙に、折り畳まれた一方の長手側壁部材、一方の燃焼材載置用板状部材、一方の二次燃焼用板状部材、及び一方の調理台が少なくとも格納され、並びに、左側の短手側壁部と左側の底部との間に形成された空隙に、折り畳まれた他方の長手側壁部材、他方の燃焼材載置用板状部材、他方の二次燃焼用板状部材、及び他方の調理台が少なくとも格納され、さらに前記左右一対の底部が閉じられて互いに重ね合わされてなることを特徴とする焚き火台である。
【０００７】
かかる構成にあっては、折り畳まれた箱型の底部に、各部材を格納してコンパクトに折り畳むことができる。そして、使用状態においては、容易に組み立てることができる。加えて、二次燃焼用板状部材も格納可能に備えられているため、従来構成に比して、二次燃焼を促進させて煙の発生量を低減することもできる。
【考案の効果】
【０００８】
本考案の焚き火台は、コンパクトに折り畳むことができ、発生する煙を二次燃焼によって低減することができるという優れた効果がある。
【図面の簡単な説明】
【０００９】
【図１】使用状態の焚き火台を示す斜視図である。
【図２】格納状態の焚き火台を示す斜視図である。
【図３】焚き火台の組み立て過程の一態様を示す斜視図である。
【図４】焚き火台の組み立て過程の一態様を示す斜視図である。
【図５】焚き火台の組み立て過程の一態様を示す斜視図である。
【図６】焚き火台の組み立て過程の一態様を示す斜視図である。
【図７】焚き火台の組み立て過程の一態様を示す斜視図である。
【図８】長手側壁部の斜視図であり、（ａ）は折り畳まれた状態を示し、（ｂ）は開いた状態を示す。
【図９】焚き火台の組み立て過程の一態様を示す斜視図である。
【図１０】図９の一部切欠斜視図である。
【図１１】焚き火台の組み立て過程の一態様を示す斜視図である。
【考案を実施するための形態】
【００１０】
以下に本考案を具体化した実施例を詳細に説明する。なお、本考案は、下記に示す実施例に限定されることはなく、適宜、設計変更が可能である。
【００１１】
焚き火台１は、図１等に示すように、基本構成となるメイン部材１０を少なくとも備えている。
【００１２】
詳述すると、メイン部材１０は、上部が開口した箱形状を有し、ヒンジ機構であるメインヒンジ部１５を介して接続された左右一対の左側底部２１及び右側底部２２を備えている。なお、左側底部２１及び右側底部２２には、複数の空気流通用孔部が形成されている。
【００１３】
また、左側底部２１の左側端部には、左側脚部２５が下側に向かって回動自在に取り付けられている。同様に、右側底部２２の右側端部には、右側脚部２６が下側に向かって回動自在に取り付けられている。
【００１４】
さらに、左側底部２１の左側端部には、左側短手側壁部３１が回動自在に取り付けられている。同様に、右側底部２２の右側端部には、右側短手側壁部３２が回動自在に取り付けられている。なお、左側短手側壁部３１及び右側短手側壁部３２には、それぞれ小窓部３５が形成されており、空気流通量の調整や燃料となる燃焼材の出し入れ等が可能とされている。
【００１５】
また、左側底部２１には、複数の貫通孔を有する左側燃焼材載置用板状部材４１が載置される。同様に、右側底部２２には、右側燃焼材載置用板状部材４２が載置される。なお、左側燃焼材載置用板状部材４１及び右側燃焼材載置用板状部材４２は、いわゆるロストルであり、底部２１，２２との間に燃焼促進用空気流通路Ｓ１が形成されて燃焼材の燃焼を促進させる機能を有している。
【００１６】
また、左側短手側壁部３１及び右側短手側壁部３２の間には、前側長手側壁部材５１及び後側長手側壁部材５２がそれぞれ差し渡されている。なお、前側長手側壁部材５１及び後側長手側壁部材５２は、左右一対で並んだ板状の基板部５５で構成されており、左右一対の基板部５５，５５は、上下方向を軸とするヒンジ機構である側壁ヒンジ部５６を介して接続されている。
【００１７】
また、前側長手側壁部材５１及び後側長手側壁部材５２を構成する基板部５５の内側には、二次燃焼用板状部材６１がそれぞれ配置される。なお、二次燃焼用板状部材６１の上端部及び下端部には、複数の孔部がそれぞれ形成されている。ところで、後述するように、基板部５５と二次燃焼用板状部材６１との間には燃焼促進用空気流通路Ｓ２が形成されており、焚き火台１の上端部側へ酸素を豊富に含む空気を送り込むことが可能となっている。
【００１８】
また、前側長手側壁部材５１と後側長手側壁部材５２との間には、細板状の五徳部材７１が複数（４個）差し渡される。
【００１９】
さらに五徳部材７１の上には、複数の貫通孔が設けられた板状の左側調理台８１及び右側調理台８２が並んで載置される。
【００２０】
以下、焚き火台１の組み立て工程を各部の説明とともに記載する。
【００２１】
図２に示すように、格納状態βにおけるメイン部材１０は、左側底部２１と右側底部２２とが重ね合わされた状態であり、左側底部２１及び右側底部２２に形状に沿うように、左側脚部２５、右側脚部２６、左側短手側壁部３１、及び右側短手側壁部３２がそれぞれ折り畳まれた態様となっている。さらに、左側底部２１内には、左側燃焼材載置用板状部材４１、前側長手側壁部材５１、左側二次燃焼用板状部材６１、五徳部材７１、及び左側調理台８１が格納されている。同様に、右側底部２２内には、右側燃焼材載置用板状部材４２、後側長手側壁部材５２、右側二次燃焼用板状部材６１、及び右側調理台８２が格納されている。
【００２２】
次に、図３に示すように、左側底部２１及び右側底部２２を互いに回動させて１８０度まで開いた状態とする。
【００２３】
次に、図４に示すように、左側脚部２５及び右側脚部２６を下方に回動させて左側脚部２５及び右側脚部２６で底部２１，２２を支持する状態とする。このとき、脚部２５，２６の上端部は、底部２１，２２よりもやや上方へ突き出される。
【００２４】
その後、図５に示すように、左側短手側壁部３１及び右側短手側壁部３２を上方へ回動させて起立状態とし、底部２１，２２内に格納された各部材を取り出す。なお、左側短手側壁部３１及び右側短手側壁部３２の前後両端部は、折り返されて剛性の向上が図られているとともに、折り返された部分には、後述する前側長手側壁部材５１及び後側長手側壁部材５２を固定するための貫通孔が形成されている。
【００２５】
そして、図６に示すように、まず底部２１，２２内に左側燃焼材載置用板状部材４１及び右側燃焼材載置用板状部材４２をそれぞれ配置する。左側燃焼材載置用板状部材４１及び右側燃焼材載置用板状部材４２は下方が開口した箱形状を有しており、底部２１，２２との間に燃焼促進用空気流通路Ｓ１が形成される。
【００２６】
次いで、図７に示すように、左側短手側壁部３１及び右側短手側壁部３２の間に、前側長手側壁部材５１及び後側長手側壁部材５２を差し渡す。前後に配された前側長手側壁部材５１及び後側長手側壁部材５２は、図８（ａ）に示すように、それぞれ左右一対の基板部５５で構成されており、図８（ｂ）に示すように側壁ヒンジ部５６を軸として回動させて開いた状態で使用する。なお、基板部５５の左右両端部は、折り返されることで剛性の向上が図られている。なお、前側長手側壁部材５１及び後側長手側壁部材５２を左側短手側壁部３１及び右側短手側壁部３２に固定する手段は、公知技術であり、本実施例では、端部に形成された舌片を貫通孔に挿通して固定する機構が採用されている。
【００２７】
これまでに述べたように、底部２１，２２から下方へ突き出された脚部２５，２６と、左側短手側壁部３１及び右側短手側壁部３２の前側の両端部間に前側長手側壁部材５１が配置され、左側短手側壁部３１及び右側短手側壁部３２の後側の両端部間に後側長手側壁部材５２が配置されて使用可能な基本構成が構築される。
【００２８】
次に、図９に示すように、取り付けられた前側長手側壁部材５１及び後側長手側壁部材５２の各基板部５５の内側に二次燃焼用板状部材６１を配置する。二次燃焼用板状部材６１は、浅底の箱形状を有しており、図１０に示すように、基板部５５との間に燃焼促進用空気流通路Ｓ２を形成する。すなわち、二次燃焼用板状部材６１の上端部及び下端部には、空気流通用の貫通孔である上側貫通孔６５及び下側貫通孔６６が複数形成されており、上述の燃焼促進用空気流通路Ｓ１を通った空気が二次燃焼用板状部材６１の下側貫通孔６６を通って燃焼促進用空気流通路Ｓ２へ進入して、上昇気流によって上側貫通孔６５から外部へ排出される。これにより、燃焼材載置用板状部材４１，４２上に配置された燃焼材から排出された煙に含まれる燃焼ガスが空気と混ざって燃焼することとなり、二次燃焼を発生させ、煙の量を減少させることができる。また、二次燃焼の炎を楽しむこともできる。
【００２９】
そして、図１１に示すように、前側長手側壁部材５１及び後側長手側壁部材５２の上端部に五徳部材７１を差し渡す。前側長手側壁部材５１及び後側長手側壁部材５２にはスリットが形成されており、五徳部材７１にも形成されているスリットと噛み合わせることで安定して五徳部材７１を配置できる。さらに前側長手側壁部材５１及び後側長手側壁部材５２の起立姿勢も安定する。
【００３０】
最後に、五徳部材７１の上に左側調理台８１及び右側調理台８２を載置することで、図１に示すように使用状態αの焚き火台１とすることができる。
【００３１】
再度、焚き火台１の特徴を以下に述べる。
底部２１，２２が折り畳まれて重ね合わされた状態となるため、使用状態αに比べて格納状態βにおいては約半分の大きさとなる。
左側短手側壁部３１、右側短手側壁部３２、前側長手側壁部材５１、及び後側長手側壁部材５２の左右端部が折り返されており、十分な剛性が確保されているため、熱による変形が抑制されている。
二次燃焼用板状部材６１によって二次燃焼を促進させているため、煙の量を低減させることができるとともに、二次燃焼による炎を見て楽しむことができる。
また、二次燃焼用板状部材６１が緩衝機能としての役割を果たすことによって、前側長手側壁部材５１及び後側長手側壁部材５２の温度が過剰に上昇してしまうことを抑えることができる。なお、前側長手側壁部材５１及び後側長手側壁部材５２の表面には、レーザー加工により意匠性のある図柄を形成することができるが、前側長手側壁部材５１及び後側長手側壁部材５２が高温により変色したり変形したりすることが抑制されるため、好適に意匠性を確保することができる。
左側燃焼材載置用板状部材４１及び右側燃焼材載置用板状部材４２が配置されるため、底部２１，２２との間に燃焼促進用空気流通路Ｓ１を形成して燃焼材の燃焼を促進することができる。
前側長手側壁部材５１及び後側長手側壁部材５２や五徳部材７１にスリットが設けられて当該スリットの噛み合いにより位置ずれが抑制されているため、五徳部材７１が安定して保持される。
五徳部材７１には、左側調理台８１及び右側調理台８２と噛み合うスリットが設けられているため、左側調理台８１及び右側調理台８２が安定して保持される。
左側調理台８１及び右側調理台８２に代えて、焼き網等を載置することもできる。例えば左側は調理台８１を用い、右側には焼き網を配置することもできる。
左側短手側壁部３１及び右側短手側壁部３２には小窓部３５が形成されているため、焚き火台１よりも長い薪等にも対応できる。具体的には、左右一対の小窓部３５，３５間に市販の長い薪を貫通状に差し渡して薪をくべることもできる。
左側短手側壁部３１及び右側短手側壁部３２の高さを、前側長手側壁部材５１及び後側長手側壁部材５２の高さよりも低くしているため、これにより生ずる隙間から薪等の燃焼材を入れやすい。
脚部２５，２６と、左側短手側壁部３１及び右側短手側壁部３２の前後両端部との間に前側長手側壁部材５１及び後側長手側壁部材５２が差し込まれるため、組み立て状態において構造体が安定する。
ヒンジ機構には、かしめ構造が採用されるよりも蝶番が採用されて構築されることが好ましく、さらにはいわゆる回り止めナットが採用されることで、部品交換が可能であり、使用時に部品等が熱膨張する場合にも好適に対応可能である。
【００３２】
上記実施例において、各部の寸法形状は適宜自由に選択可能である。
また、例えば前側長手側壁部材５１や後側長手側壁部材５２の外面に意匠を施してもよいし、空気流通用の孔部が実施例に記載された構成とは別の部位に形成されていても構わない。
【符号の説明】
【００３３】
１            焚き火台
１０          メイン部材
１５          メインヒンジ部
２１          左側底部（左側の底部）
２２          右側底部（右側の底部）
２５          左側脚部（左側の脚部）
２６          右側脚部（右側の脚部）
３１          左側短手側壁部（左側の短手側壁部）
３２          右側短手側壁部（右側の短手側壁部）
３５          小窓部
４１          左側燃焼材載置用板状部材（一方の燃焼材載置用板状部材）
４２          右側燃焼材載置用板状部材（他方の燃焼材載置用板状部材）
５１          前側長手側壁部材（一方の長手側壁部材）
５２          後側長手側壁部材（他方の長手側壁部材）
５５          基板部
５６          側壁ヒンジ部
６１          二次燃焼用板状部材
６５          上側貫通孔
６６          下側貫通孔
７１          五徳部材
８１          左側調理台（一方の調理台）
８２          右側調理台（他方の調理台）
Ｓ１，Ｓ２    燃焼促進用空気流通路
α            使用状態
β            格納状態
【図１】
0003234669.tif 000003
【図２】
0003234669.tif 000004
【図３】
0003234669.tif 000005
【図４】
0003234669.tif 000006
【図５】
0003234669.tif 000007
【図６】
0003234669.tif 000008
【図７】
0003234669.tif 000009
【図８】
0003234669.tif 000010
【図９】
0003234669.tif 000011
【図１０】
0003234669.tif 000012
【図１１】
0003234669.tif 000013